(57)【特許請求の範囲】
【請求項１】
使用者に使用される場合に前記使用者が着座する着座面を外表面に有し、中空に形成された便座に適用され、
前記便座の内側面のうち前記着座面に対して裏側の裏側面に配置され、前記着座面を加熱する便座用の加熱装置であって、
通電されることにより発熱する発熱体と、
前記裏側面を覆う面状に形成され、前記発熱体が発した熱を前記裏側面に伝える面状体と、を備え、
前記面状体は、左右対称に形成され、面状に形成された複数の面状部材を備え、前記複数の面状部材のうち一の面状部材と、前記複数の面状部材のうち他の面状部材の少なくとも一つとが互いに接合されることにより設けられ、
接合される前記一の面状部材と前記他の面状部材の少なくとも一つとは互いに隣接し、
前記一の面状部材の端部と前記他の面状部材の少なくとも一つの端部とが互いに重なり合って接合することにより、前記一の面状部材と前記他の面状部材とが連結された連結部を備え、
前記連結部は、前記面状体の左右方向の中心から左方および右方の一方に離れた位置に設けられ、
二つの前記面状体を備えるとともに、前記二つの前記面状体が各前記連結部を互いに離れて位置させるように積層され、かつ、前記発熱体が前記二つの前記面状体の間に挟まれることによって形成されている、便座用の加熱装置。
【請求項２】
前記面状体は、前方が開放されたＵ字状に形成され、
前記連結部は、後側部に設けられている請求項１に記載の便座用の加熱装置。
【請求項３】
使用者に使用される場合に前記使用者が着座する着座面を外表面に有し、中空に形成された便座に適用され、
前記便座の内側面のうち前記着座面に対して裏側の裏側面に配置され、前記着座面を加熱する便座用の加熱装置であって、
通電されることにより発熱する発熱体と、
前記裏側面を覆う面状に形成され、前記発熱体が発した熱を前記裏側面に伝える面状体と、を備え、
前記面状体は、左右対称に形成されるとともに、左右方向の中心から左方および右方の一方に離れた分割位置にて分割され面状に形成された複数の面状部材を備え、前記複数の面状部材のうち一の面状部材と、前記複数の面状部材のうち他の面状部材の少なくとも一つとが互いに接合されることにより設けられ、
二つの前記面状体を備えるとともに、前記二つの前記面状体が各前記分割位置を互いに離れて位置させるように積層され、かつ、各前記二つの前記面状体の互いに対向する対向面にて接合され、前記発熱体が前記二つの前記面状体の間に挟まれることによって形成されている、便座用の加熱装置。
【請求項４】
請求項１乃至請求項３の何れか一項に記載の便座用の加熱装置を備えた便座装置。
【発明の詳細な説明】
【技術分野】
【０００１】
本発明は、便座用の加熱装置および便座装置に関する。
【背景技術】
【０００２】
便座用の加熱装置の一形式として、特許文献１に示されているものが知られている。特許文献１の便座用の加熱装置（ヒータユニット）は、複数に分割された基材、補強材および発熱素子を備えている。基材は、基材を形成する材料の歩留まりを向上させるために、複数に分割されている。補強材は、特許文献１の図８乃至図１０に示すように、複数の基材の境界部分を覆うように配置され、複数の基材を連結している。
【先行技術文献】
【特許文献】
【０００３】
【特許文献１】特開２０１４−２３５９２６号公報
【発明の概要】
【発明が解決しようとする課題】
【０００４】
しかしながら、便座用の加熱装置が補強材を備える場合、補強材を備えない場合に比べて部品点数が増加し、補強材を貼り付けする工程が増加するため、加熱装置のコストが増加する。一方、補強材を廃止するために、基材を一体化する場合、基材の材料の歩留まりが悪化する。このことは、便座用の加熱装置が適用された便座を備える便座装置についても同様である。
【０００５】
そこで、本発明は、上述した課題を解消するためになされたもので、便座用の加熱装置および便座装置において、材料の歩留まりの向上と低コスト化との両立を図ることを目的とする。
【課題を解決するための手段】
【０００６】
上記の課題を解決するため、請求項１に係る便座用の加熱装置は、使用者に使用される場合に前記使用者が着座する着座面を外表面に有し、中空に形成された便座に適用され、前記便座の内側面のうち前記着座面に対して裏側の裏側面に配置され、前記着座面を加熱する便座用の加熱装置であって、通電されることにより発熱する発熱体と、前記裏側面を覆う面状に形成され、前記発熱体が発した熱を前記裏側面に伝える面状体と、を備え、前記面状体は、左右対称に形成され、面状に形成された複数の面状部材を備え、前記複数の面状部材のうち一の面状部材と、前記複数の面状部材のうち他の面状部材の少なくとも一つとが互いに接合されることにより設けられ、接合される前記一の面状部材と前記他の面状部材の少なくとも一つとは互いに隣接し、前記一の面状部材の端部と前記他の面状部材の少なくとも一つの端部とが互いに重なり合って接合することにより、前記一の面状部材と前記他の面状部材とが連結された連結部を備え、前記連結部は、前記面状体の左右方向の中心から左方および右方の一方に離れた位置に設けられ、二つの前記面状体を備えるとともに、前記二つの前記面状体が各前記連結部を互いに離れて位置させるように積層され、かつ、前記発熱体が前記二つの前記面状体の間に挟まれることによって形成されている。
【発明の効果】
【０００７】
これによれば、面状体は、複数の面状部材のうちの一の面状部材と他の面状部材の少なくとも一つとが互いに接合されることにより設けられている。よって、面状体を複数の面状部材によって構成することができるとともに、従来技術のような補強材を不要とすることができる。このため、従来技術に比べて、便座用の加熱装置の部品点数を低減することができる。したがって、便座用の加熱装置において、材料の歩留まりの向上と低コスト化との両立を図ることができる。
【図面の簡単な説明】
【０００８】
【図１】本発明による一実施形態に係る便座用の加熱装置の平面図である。
【図２】図１に示す加熱装置が適用された便座の平面図である。
【図３】図２に示すIII−III線に沿った便座の断面図である。
【図４】図１に示す面状部材の材料を示す平面図である。
【図５】図１に示すV−V線に沿った加熱装置の断面図である。
【図６】図１に示す便座用の加熱装置が適用された便座装置を示す斜視図である。
【図７】本発明による一実施形態の一の変形例に係る便座用の加熱装置の断面図である。
【図８】本発明による一実施形態の他の変形例に係る便座用の加熱装置の平面図である。
【図９】図８に示すIX−IX線に沿った加熱装置の断面図である。
【図１０】従来の便座用の加熱装置の平面図である。
【発明を実施するための形態】
【０００９】
以下、本発明による便座用の加熱装置１の一実施形態について図面を用いて説明する。なお、本明細書においては説明の便宜上、図１における上側および下側をそれぞれ便座用の加熱装置１の後方および前方とし、同じく右側および左側をそれぞれ便座用の加熱装置１の右方および左方とし、同じく紙面手前側および紙面奥側を、それぞれ便座用の加熱装置１の上方および下方として説明する。
【００１０】
便座用の加熱装置１（以下、加熱装置１ともいう。）は、面状（シート状）に形成され、後述する着座面Ｓｃを加熱するものである。加熱装置１は、図１に示すように、平面視において、前方が開放されたＵ字状に形成されている。加熱装置１は、左右対称に形成されている。加熱装置１は、平面視において、加熱装置１を構成する面状体２０ａ，２０ｂ（後述する）と同じ形状である。加熱装置１は、便座２に適用されている。
【００１１】
便座２は、図２および図３に示すように、使用者に使用される場合に使用者が着座する着座面Ｓｃを外表面に有し、中空に形成されたものである。便座２は、平面視において環状に形成されている（図２参照）。便座２は、肉厚をおよそ一定とする中空状に形成されている（図３参照）。肉厚は、便座２を形成する側壁の厚みである。便座２は、熱可塑性樹脂によって形成されている。
【００１２】
着座面Ｓｃは、便座２の外表面のうち、使用者が上方から着座する部位である。着座面Ｓｃは、便座２の外表面における上側の部位である。着座面Ｓｃは、使用者が上方から着座した場合に使用者の人体が接触可能な範囲に設定されている。着座面Ｓｃは、便座２の上側壁２ａの外側面に相当する。
【００１３】
加熱装置１は、図３に示すように、便座２の内側面のうち着座面Ｓｃに対して裏側の裏側面Ｓｕに配置されている。加熱装置１の一方面（上面）が、裏側面Ｓｕに接触し、加熱装置１の一方面と裏側面Ｓｕとが、例えば接着剤によって固定されている。裏側面Ｓｕは、上側壁２ａの内側面に相当する。加熱装置１は、便座２の裏側面Ｓｕひいては上側壁２ａを加熱することにより、着座面Ｓｃを加熱する。加熱装置１は、図１、図３および図５に示すように、発熱体１０および二つの面状体２０ａ，２０ｂを備えている。
【００１４】
発熱体１０は、通電されることにより発熱するものである。発熱体１０は、コード状の発熱体１０によって構成されたコードヒータである。発熱体１０は、例えば後述する制御装置５を介して電源部（図示なし）から電力が供給されることにより発熱する。電源部は、交流の系統電源である。
【００１５】
発熱体１０は、図３に示すように、発熱部１１および絶縁被覆１２を備えている。発熱部１１は、例えばガラス繊維からなる線芯（図示なし）に電熱用合金線（図示なし）が螺旋状に巻付けられたものである。絶縁被覆１２は、絶縁性を有し、発熱部１１の外周を覆うものである。絶縁被覆１２は、例えばポリ塩化ビニルによって設けられている。
【００１６】
面状体２０ａ，２０ｂの各々は、裏側面Ｓｕを覆う面状（シート状）に形成され、発熱体１０が発した熱を裏側面Ｓｕに伝えるものである。面状体２０ａ，２０ｂは、発熱体１０からの熱を裏側面Ｓｕに拡散させて、裏側面Ｓｕひいては上側壁２ａを介して着座面Ｓｃに伝達させる。面状体２０ａ，２０ｂは、例えばアルミ箔によって設けられている。
【００１７】
面状体２０ａ，２０ｂの各々は、同一の構成である。一方の面状体２０ａの構成には、添え字「ａ」が付され、他方の面状体２０ｂの構成には、添え字「ｂ」が付されている。以下、一方の面状体２０ａについて説明する。
【００１８】
面状体２０ａは、図１に示すように、平面視において、前方が開放されたＵ字状に形成されている。面状体２０ａは、左右対称に形成されている。面状体２０ａは、面状に形成された複数の面状部材を備えている。面状体２０ａは、複数の面状部材のうち一の面状部材と、複数の面状部材のうち他の面状部材の少なくとも一つとが互いに接合されることにより設けられている。
【００１９】
面状体２０ａは、具体的には、面状に形成された二つの面状部材２１ａ，２２ａを備えている。第一の面状部材２１ａは、本発明の一の面状部材に相当する。第二の面状部材２２ａは、本発明の他の面状部材に相当する。
【００２０】
第一の面状部材２１ａと第二の面状部材２２ａとは、互いに隣接している。具体的には、面状体２０ａを、一点鎖線にて示す境界線Ｌによって、左側部Ｒ１ａ、右側部Ｒ２ａおよび後側部Ｒ３ａに分けた場合、第一の面状部材２１ａは、面状体２０ａの左側部Ｒ１ａおよび後側部Ｒ３ａの左側から中央の部位を含むように形成されている。第二の面状部材２２ａは、面状体の右側部Ｒ２ａおよび後側部Ｒ３ａの右側の部位を含むように構成されている。換言すれば、面状体２０ａは、左右方向の中心から右方に離れた位置にて分けられるように、構成されている。
【００２１】
このように、面状体２０ａが二つの面状部材２１ａ，２２ａに分割されることにより、面状体２０ａの材料の歩留まりが向上する。具体的には、面状部材２１ａ，２２ａの各々は、図４に示すように、一枚のアルミ箔ＡＳから、例えばカッタ付きのプレス機を用いて打ち抜かれることにより形成される。
【００２２】
一枚のアルミ箔ＡＳにおける面状部材２１ａ，２２ａの各々の配置は、一枚のアルミ箔ＡＳにおける面状体２０ａに使用される部位が比較的多くなるように設定されている。例えば、面状体２０ａが一つの面状部材によって一体に構成されている場合においては、一枚のアルミ箔ＡＳにおける面状体２０ａの中央の空洞部Ｋ（図１参照）に相当する部位が使用されない。
【００２３】
これに対して、面状体２０ａが二つの面状部材２１ａ，２２ａによって構成されている場合、第二の面状部材２２ａを、空洞部Ｋに相当する部位に配置することにより、一枚のアルミ箔ＡＳにおいて空洞部Ｋに相当する部位が使用される。よって、面状体２０ａが分割されていない場合に比べて、一枚のアルミ箔ＡＳにおける面状体２０ａに使用される部位が多くなる。
【００２４】
また、面状部材２１ａ，２２ａの各々は、図１および図５に示すように、連結部２３ａにて連結されている。連結部２３ａは、第一の面状部材２１ａの端部と第二の面状部材２２ａの端部とが互いに重なり合って接合することにより、第一の面状部材２１ａと第二の面状部材２２ａとが連結された部位である。
【００２５】
連結部２３ａは、後側部Ｒ３ａに設けられている。連結部２３ａは、面状体２０ａの左右方向の中心から右方に離れた位置に設けられている。
連結部２３ａにおいて、面状部材２１ａ，２２ａの端部の各々が、上下方向に重なり合い、例えば、溶着または接着剤によって接着されることにより連結されている。
【００２６】
加熱装置１は、二つの面状体２０ａ，２０ｂが、平面視において外周を一致させるように積層されて設けられている。二つの面状体２０ａ，２０ｂは、各連結部２３ａ，２３ｂを互いに離れて位置させるように積層されている。二つの面状体２０ａ，２０ｂは、互いに対向する対向面が、溶着または接着剤によって接合されている。
【００２７】
発熱体１０は、二つの面状体２０ａ，２０ｂの間に挟まれている（図３および図５参照）。発熱体１０は、蛇行するように配置されている（図１参照）。絶縁被覆１２が面状体２０ａ，２０ｂに接触する面に溶着されることにより、発熱体１０が固定される。
【００２８】
また、便座２の内側には、図３に示すように、温度センサ３０が配置されている。温度センサ３０は、着座面Ｓｃの温度を検出するものである。温度センサ３０は、加熱装置１の他方面（下面）に配置されている。温度センサ３０は、上側壁２ａの内側面の温度を検出することにより、着座面Ｓｃの温度を間接的に検出する。
【００２９】
次に、上述した便座ひいては加熱装置１を備える便座装置３について、図６を用いて説明する。便座装置３は、図６に示すように、本体部４、制御装置５、便座２、および、便座２を覆う便蓋６を備えている。本体部４は、腰掛式便器Ｂに取り付けられている。制御装置５は、本体部４に収納され、便座装置３を統括制御するものである。便座２および便蓋６は、本体部４に回動可能に支持されている。
【００３０】
制御装置５には、温度センサ３０によって検出された温度が送信される。制御装置５は、温度センサ３０によって検出された温度に基づいて、着座面Ｓｃの温度が所定温度（例えば３９℃）となるように発熱体１０への通電を制御する。
【００３１】
ここで、従来の加熱装置３００について図１０を用いて説明する。従来の加熱装置３００は、一つの面状体３２０ａを備えている。面状体３２０ａは、二つの面状部材３２１ａ，３２２ａによって構成され、面状体３２０ａの左右方向中央にて、二つの面状部材３２１ａ，３２２ａが左右対称形状となるように分割されている。このため、本発明のように、二つの面状部材３２１ａ，３２２ａの各々の端部は、互いに重ね合わされていない。
【００３２】
よって、従来の加熱装置３００においては、補強材Ｈが貼り付けられることにより、二つの面状部材２２１ａ，２２２ａの連結されている。補強材Ｈは、例えばアルミテープである。このように、本発明の加熱装置１は、従来の加熱装置３００に比べ、補強材Ｈを不要としている。
【００３３】
本実施形態によれば、便座用の加熱装置１は、使用者に使用される場合に使用者が着座する着座面Ｓｃを外表面に有し、中空に形成された便座２に適用される。便座用の加熱装置１は、便座２の内側面のうち着座面Ｓｃに対して裏側の裏側面Ｓｕに配置され、着座面Ｓｃを加熱する。便座用の加熱装置１は、通電されることにより発熱する発熱体１０と、裏側面Ｓｕを覆う面状に形成され、発熱体１０が発した熱を裏側面Ｓｕに伝える面状体２０ａおよび面状体２０ｂと、を備えている。面状体２０ａは、面状に形成された複数の面状部材２１ａ，２２ａを備えている。面状体２０ａは、複数の面状部材２１ａ，２２ａのうち第一の面状部材２１ａと、複数の面状部材２１ａ，２２ａのうち第二の面状部材２２ａとが互いに接合されることにより設けられている。また、面状体２０ｂは、面状に形成された複数の面状部材２１ｂ，２２ｂを備えている。面状体２０ｂは、複数の面状部材２１ｂ，２２ｂのうち第一の面状部材２１ｂと、複数の面状部材２１ｂ，２２ｂのうち第二の面状部材２２ｂとが互いに接合されることにより設けられている。
【００３４】
これによれば、面状体２０ａは、複数の面状部材２１ａ，２２ａのうちの第一の面状部材２１ａと第二の面状部材２２ａとが互いに接合されることにより設けられている。よって、面状体２０ａを複数の面状部材２１ａ，２２ａによって構成することができるとともに、従来技術のような補強材Ｈを不要とすることができる。このことは、面状体２０ｂについても同様である。このため、従来技術に比べて、便座用の加熱装置１の部品点数を低減することができる。したがって、便座用の加熱装置１において、材料の歩留まりの向上と低コスト化との両立を図ることができる。
【００３５】
また、第一の面状部材２１ａと第二の面状部材２２ａとは、互いに隣接している。第一の面状部材２１ａの端部と第二の面状部材２２ａの端部とが互いに重なり合って接合することにより、第一の面状部材２１ａと第二の面状部材２２ａとが連結された連結部２３ａを備えている。
【００３６】
これによれば、複数の面状部材２１ａ，２２ａを互いに簡便に接合することができる。したがって、面状体２０ａを簡便に形成することができる。また、このことは、面状体２０ｂについても同様である。
【００３７】
また、面状体２０ａ，２０ｂは、それぞれ左右対称に形成されている。連結部２３ａ，２３ｂは、それぞれ面状体２０ａ，２０ｂの左右方向の中心から右方に離れた位置に設けられている。加熱装置１は、二つの面状体２０ａ，２０ｂを備えている。加熱装置１は、二つの面状体２０ａ，２０ｂが各連結部２３ａ，２３ｂを互いに離れて位置させるように積層され、かつ、発熱体１０が二つの面状体２０ａ，２０ｂの間に挟まれることによって形成されている。
【００３８】
これによれば、加熱装置１を二つの面状体２０ａ，２０ｂを用いて構成する場合においても、各連結部２３ａ，２３ｂが互いに重なり合わない。このため、加熱装置１の厚みを抑制することができるとともに、発熱体１０によって発せられた熱の拡散の高効率化を図ることができる。
【００３９】
また、面状体２０ａ，２０ｂは、前方が開放されたＵ字状に形成されている。連結部２３ａ，２３ｂは、後側部Ｒ３ａ，Ｒ３ｂに設けられている。
これによれば、面状部材２１ａ，２２ａおよび面状部材２１ｂ，２２ｂの歩留まりの向上を確実に行うことができる。
【００４０】
また、便座装置３は、上述した加熱装置１を備えている。
これによれば、便座装置３が、上述した加熱装置１の効果と同様の効果を有する。
【００４１】
なお、上述した実施形態において、便座用の加熱装置の一例を示したが、本発明はこれに限定されず、他の構成を採用することもできる。例えば、便座装置３を、洗浄水を噴出して人体の局部を洗浄する洗浄装置を本体部４の内部に備えた温水洗浄便座としても良い。
【００４２】
また、上述した実施形態において、二つの面状体２０ａ，２０ｂの連結部２３ａ，２３ｂの各々が互いに離れて位置するように、二つの面状体２０ａ，２０ｂが重ね合わされているが、これに代えて、連結部２３ａ，２３ｂの各々が重なるように、二つの面状体２０ａ，２０ｂを重ね合わせるようにしても良い。
【００４３】
また、上述した実施形態において、加熱装置１は、面状体２０ａ，２０ｂを二つ備えているが、これに代えて、図７に示すように、加熱装置１が一つの面状体１２０ａのみを備えるようにしても良い。この場合、連結部１２３ａは、例えば後側部Ｒ３ａの中央に部位に設けられている。なお、発熱体１１０は、面状体１２０ａの一方面（下面）に、絶縁被覆１２が溶着されることにより固定される。
【００４４】
また、上述した実施形態において、加熱装置１は、連結部２３ａ，２３ｂを備えているが、これに代えて、図８および図９に示すように、加熱装置１が、連結部２３ａ，２３ｂを備えないようにしても良い。加熱装置１は、二つの面状体２２０ａ，２２０ｂを備えている。面状体２２０ａは、左右対称に形成されるとともに、左右方向の中心から右方に離れた分割位置Ｄａにて複数の面状部材２２１ａ，２２２ａに分割されている。面状体２２０ｂについても同様に形成されている。
【００４５】
そして、加熱装置１は、二つの面状体２２０ａ，２２０ｂが各分割位置Ｄａ，Ｄｂを互いに離れて位置させるように積層され、発熱体２１０が二つの面状体２２０ａ，２２０ｂの間に挟まれることによって形成されている。二つの面状体２２０ａ，２２０ｂは、互いに対向する対向面Ｓａ，Ｓｂにて接合（溶着または接着）されている。この場合、面状体２２０ａの第一の面状部材２２１ａと、面状体２２０ｂの面状部材２２１ｂ，２２２ｂとが対向面Ｓａ，Ｓｂにて互いに接合（溶着または接着）する。また、面状体２２０ａの第二の面状部材２２２ａと、面状体２２０ｂの面状部材２２１ｂとが対向面Ｓａ，Ｓｂにて互いに接合する。すなわち、この場合、隣接する面状部材２２１ａ，２２２ａの各々の端部が互いに重ね合わされていない。これによれば、上述した実施形態に比べて、加熱装置１の厚みをさらに抑制することができる。
【００４６】
また、上述した実施形態において、面状体２０ａは、二つの面状部材２１ａ，２２ａを備えているが、これに代えて、面状体２０ａが面状部材を二つより多く備えるようにしても良い。具体的には、面状体２０ａを、図１に示す左側部Ｒ１ａ、右側部Ｒ２ａおよび後側部Ｒ３ａの三つの面状部材に分けるようにしても良い。この場合、左側部Ｒ１ａおよび右側部Ｒ２ａの面状部材が一つの面状部材（後側部Ｒ３ａ）と接合し、後側部Ｒ３ａが二つの面状部材（左側部Ｒ１ａおよび右側部Ｒ２ａの面状部材）と接合する。すなわち、この場合、複数の面状部材のうち一の面状部材が、複数の面状部材のうち他の面状部材の少なくとも一つと互いに接合される。また、複数の面状部材のそれぞれが互いに隣接するように、面状体を分割するようにしても良い。
【００４７】
また、上述した実施形態において、連結部２３ａは、面状体２０ａの左右方向の中心から右方に離れた位置に設けられているが、これに代えて、面状体２０ａの左右方向の中心から左方に離れた位置に連結部２３ａを設けるようにしても良い。すなわち、連結部２３ａは、面状体２０ａの左右方向の中心から左方および右方の一方に離れた位置に設けられている。
【００４８】
また、上述した実施形態において、分割位置Ｄａは、面状体２２０ａの左右方向の中心から右方に離れた位置に設けられているが、これに代えて、面状体２２０ａの左右方向の中心から左方に離れた位置に分割位置Ｄａを設けるようにしても良い。すなわち、分割位置Ｄａは、面状体２２０ａの左右方向の中心から左方および右方の一方に離れた位置に設けられている。
【００４９】
また、上述した実施形態において、面状体２０ａは、前方を開放するＵ字状に形成されているが、これに代えて、環状に面状体２０ａを形成するようにしても良い。また、面状体２０ａ，２０ｂの各々を互いに異なる形状としても良い。
【００５０】
また、本発明の要旨を逸脱しない範囲において、面状体２０ａ，２０ｂ，２２０ａ，２２０ｂの形状および個数、面状部材２１ａ，２２ａ，１２１ａ，１２２ａ，２２１ａ，２２２ａ，２１ｂ，２２ｂ，２２１ｂ，２２２ｂの形状および個数、分割位置Ｄａ，Ｄｂの位置および個数、並びに、連結部２３ａ，２３ｂの個数、位置、大きさおよび範囲を変更するようにしても良い。
【符号の説明】
【００５１】
１…便座用の加熱装置、２…便座、３…便座装置、１０…発熱体、２０ａ，２０ｂ…面状体、２１ａ，２２ａ，２１ｂ，２２ｂ…面状部材、２３ａ，２３ｂ…連結部、Ｄａ，Ｄｂ…分割位置、Ｒ３ａ，Ｒ３ｂ…後側部、Ｓａ，Ｓｂ…対向面、Ｓｃ…着座面、Ｓｕ…裏側面。
【図１】
0006988363.tif 000002
【図２】
0006988363.tif 000003
【図３】
0006988363.tif 000004
【図４】
0006988363.tif 000005
【図５】
0006988363.tif 000006
【図６】
0006988363.tif 000007
【図７】
0006988363.tif 000008
【図８】
0006988363.tif 000009
【図９】
0006988363.tif 000010
【図１０】
0006988363.tif 000011